(57)【要約】【課題】複数の画面を切り替えて表示する場合にこれらの関係性を容易に把握する。【解決手段】表示制御装置は、操作受付部および制御部を具備する。制御部は、ユーザ操作を受け付けるための複数の領域を含む第１画面と、複数の領域の何れかを拡大表示する第２画面との何れかを表示させるための制御を行う。また、操作受付部は、表示面に表示されている第２画面を移動させるための移動操作を受け付ける。また、制御部は、移動操作が受け付けられた場合においてその移動操作が所定条件を満たすときには、表示されていた第２画面に対応する領域とその周囲の領域とを縮小表示させるための制御を行う。【選択図】図２
2013191113.tif 000002
【特許請求の範囲】
【請求項１】
ユーザ操作を受け付けるための複数の領域を含む第１画面と前記複数の領域の何れかを拡大表示する第２画面との何れかを表示させるための制御を行う制御部と、
表示面に表示されている前記第２画面を移動させるための移動操作を受け付ける操作受付部とを具備し、
前記制御部は、前記移動操作が受け付けられた場合において当該移動操作が所定条件を満たすときには、表示されていた前記第２画面に対応する領域とその周囲の領域とを縮小表示させるための制御を行う
表示制御装置。
【請求項２】
前記操作受付部は、前記移動操作の移動量および経過時間のうちの少なくとも１つを検出し、
前記制御部は、前記移動操作の移動量および経過時間のうちの少なくとも１つが前記所定条件を満たすときには、前記第２画面に対応する領域とその周囲の領域とを縮小表示させるための制御を行う
請求項１記載の表示制御装置。
【請求項３】
前記制御部は、前記移動量および前記経過時間のうちの少なくとも１つにより特定される値が閾値を基準として大きい場合に前記所定条件を満たすと判断する請求項２記載の表示制御装置。
【請求項４】
前記制御部は、前記移動量および前記経過時間のうちの少なくとも１つにより特定される値の大きさに基づいて、前記縮小表示の際における縮小率を決定する請求項２記載の表示制御装置。
【請求項５】
前記制御部は、前記移動操作が前記所定条件を満たすときには、前記縮小表示をさせてから所定時間経過後に前記第２画面を表示させるための制御を行う請求項１記載の表示制御装置。
【請求項６】
前記制御部は、前記第２画面から前記縮小表示への遷移をアニメーションにより表示させるための制御を行う請求項１記載の表示制御装置。
【請求項７】
前記制御部は、前記移動操作が前記所定条件を満たすときには、前記第１画面を表示させるための制御を行う請求項１記載の表示制御装置。
【請求項８】
前記複数の領域は、前記ユーザ操作を受け付けるための操作領域画像がグループ単位で表示されている領域であり、
前記操作受付部は、前記第２画面が前記表示面に表示されている場合にのみ前記操作領域画像における前記ユーザ操作を受け付ける
請求項１記載の表示制御装置。
【請求項９】
前記操作受付部は、前記移動操作として、前記表示面における接触操作を受け付ける請求項１記載の表示制御装置。
【請求項１０】
ユーザ操作を受け付けるための複数の領域を含む第１画面と前記複数の領域の何れかを拡大表示する第２画面との何れかを表示させる第１制御手順と、
表示面に表示されている前記第２画面を移動させるための移動操作が受け付けられた場合において当該移動操作が所定条件を満たすときには、表示されていた前記第２画面に対応する領域とその周囲の領域とを縮小表示させる第２制御手順と
を具備する表示制御方法。
【請求項１１】
ユーザ操作を受け付けるための複数の領域を含む第１画面と前記複数の領域の何れかを拡大表示する第２画面との何れかを表示させる第１制御手順と、
表示面に表示されている前記第２画面を移動させるための移動操作が受け付けられた場合において当該移動操作が所定条件を満たすときには、表示されていた前記第２画面に対応する領域とその周囲の領域とを縮小表示させる第２制御手順と
をコンピュータに実行させるプログラム。
【発明の詳細な説明】
【技術分野】
【０００１】
本技術は、表示制御装置に関する。詳しくは、画像を表示させる表示制御装置および表示制御方法ならびに当該方法をコンピュータに実行させるプログラムに関する。
【背景技術】
【０００２】
従来、複数の機能を備える携帯電話装置やデジタルスチルカメラ等の電子機器が普及している。また、所望の機能を実行させるための各操作をユーザが行うためのメニュー画面をタッチパネルに表示させ、このタッチパネルの操作入力に応じた機能を実行する電子機器が存在する。
【０００３】
例えば、メニュー画面において、基点からの距離が大きくなるのに応じて、大きいサイズでアイコンを表示する表示操作装置が提案されている（例えば、特許文献１参照。）。
【先行技術文献】
【特許文献】
【０００４】
【特許文献１】特開２００９−２６５７９３号公報
【発明の概要】
【発明が解決しようとする課題】
【０００５】
上述の従来技術では、表示面への指先の接触面積に応じたサイズでアイコンが表示されるため、誤操作を減少させることができる。
【０００６】
ここで、複数の機能を備える電子機器を操作する場合には、表示画面における操作対象となる項目の数が多くなることも想定される。この場合には、例えば、全体を俯瞰する俯瞰画面と、この俯瞰画面の各部を拡大表示する拡大画面とを切り替えて表示することが想定される。このように、俯瞰画面とその拡大画面とを切り替えて表示する場合には、これらの関係性をユーザが容易に把握することが重要となる。
【０００７】
本技術はこのような状況に鑑みて生み出されたものであり、複数の画面を切り替えて表示する場合にこれらの関係性を容易に把握することを目的とする。
【課題を解決するための手段】
【０００８】
本技術は、上述の問題点を解消するためになされたものであり、その第１の側面は、ユーザ操作を受け付けるための複数の領域を含む第１画面と上記複数の領域の何れかを拡大表示する第２画面との何れかを表示させるための制御を行う制御部と、表示面に表示されている上記第２画面を移動させるための移動操作を受け付ける操作受付部とを具備し、上記制御部は、上記移動操作が受け付けられた場合において当該移動操作が所定条件を満たすときには、表示されていた上記第２画面に対応する領域とその周囲の領域とを縮小表示させるための制御を行う表示制御装置およびその表示制御方法ならびに当該方法をコンピュータに実行させるプログラムである。これにより、移動操作が受け付けられた場合において、その移動操作が所定条件を満たすときには、表示されていた第２画面に対応する領域とその周囲の領域とを縮小表示させるという作用をもたらす。
【０００９】
また、この第１の側面において、上記操作受付部は、上記移動操作の移動量および経過時間のうちの少なくとも１つを検出し、上記制御部は、上記移動操作の移動量および経過時間のうちの少なくとも１つが上記所定条件を満たすときには、上記第２画面に対応する領域とその周囲の領域とを縮小表示させるための制御を行うようにしてもよい。これにより、接触操作の表示面における移動量および経過時間のうちの少なくとも１つが所定条件を満たすときには、第２画面に対応する領域とその周囲の領域とを縮小表示させるという作用をもたらす。
【００１０】
また、この第１の側面において、上記制御部は、上記移動量および上記経過時間のうちの少なくとも１つにより特定される値が閾値を基準として大きい場合に上記所定条件を満たすと判断するようにしてもよい。これにより、移動量および経過時間のうちの少なくとも１つにより特定される値が閾値を基準として大きい場合に、所定条件を満たすと判断するという作用をもたらす。
【００１１】
また、この第１の側面において、上記制御部は、上記移動量および上記経過時間のうちの少なくとも１つにより特定される値の大きさに基づいて、上記縮小表示の際における縮小率を決定するようにしてもよい。これにより、移動量および経過時間のうちの少なくとも１つにより特定される値の大きさに基づいて、縮小表示の際における縮小率を決定するという作用をもたらす。
【００１２】
また、この第１の側面において、上記制御部は、上記移動操作が上記所定条件を満たすときには、上記縮小表示をさせてから所定時間経過後に上記第２画面を表示させるための制御を行うようにしてもよい。これにより、移動操作が所定条件を満たすときには、縮小表示をさせてから所定時間経過後に第２画面を表示させるという作用をもたらす。
【００１３】
また、この第１の側面において、上記制御部は、上記第２画面から上記縮小表示への遷移をアニメーションにより表示させるための制御を行うようにしてもよい。これにより、第２画面から縮小表示への遷移をアニメーションにより表示させるという作用をもたらす。
【００１４】
また、この第１の側面において、上記制御部は、上記移動操作が上記所定条件を満たすときには、上記第１画面を表示させるための制御を行うようにしてもよい。これにより、移動操作が所定条件を満たすときには、第１画面を表示させるという作用をもたらす。
【００１５】
また、この第１の側面において、上記複数の領域は、上記ユーザ操作を受け付けるための操作領域画像がグループ単位で表示されている領域であり、上記操作受付部は、上記第２画面が上記表示面に表示されている場合にのみ上記操作領域画像における上記ユーザ操作を受け付けるようにしてもよい。これにより、第２画面が表示面に表示されている場合にのみ、操作領域画像におけるユーザ操作を受け付けるという作用をもたらす。
【００１６】
また、この第１の側面において、上記操作受付部は、上記移動操作として、上記表示面における接触操作を受け付けるようにしてもよい。これにより、移動操作として、表示面における接触操作を受け付けるという作用をもたらす。
【発明の効果】
【００１７】
本技術によれば、複数の画面を切り替えて表示する場合にこれらの関係性を容易に把握することができるという優れた効果を奏し得る。
【図面の簡単な説明】
【００１８】
【図１】本技術の第１の実施の形態における表示制御装置１００の外観構成例を示す斜視図である。
【図２】本技術の第１の実施の形態における表示制御装置１００の機能構成例を示すブロック図である。
【図３】本技術の第１の実施の形態における入出力部１５０に表示される表示画面例（メニュー画面３００）を示す図である。
【図４】本技術の第１の実施の形態における入出力部１５０に表示される表示画面例（メニュー画面４００）を示す図である。
【図５】本技術の第１の実施の形態における入出力部１５０に表示される表示画面の遷移例を示す図である。
【図６】本技術の第１の実施の形態における入出力部１５０に表示される表示画面の遷移例を示す図である。
【図７】本技術の第１の実施の形態における入出力部１５０に表示される表示画面の遷移例を示す図である。
【図８】本技術の第１の実施の形態における入出力部１５０に表示される表示画面の遷移例を示す図である。
【図９】本技術の第１の実施の形態における入出力部１５０に表示される表示画面の遷移例を示す図である。
【図１０】本技術の第１の実施の形態における入出力部１５０に表示される表示画面の遷移例を示す図である。
【図１１】本技術の第１の実施の形態における表示制御装置１００による表示制御処理の処理手順の一例を示すフローチャートである。
【図１２】本技術の第１の実施の形態における表示制御装置１００による表示制御処理の処理手順の一例を示すフローチャートである。
【図１３】本技術の第２の実施の形態における入出力部１５０に表示される表示画面の遷移例を示す図である。
【発明を実施するための形態】
【００１９】
以下、本技術を実施するための形態（以下、実施の形態と称する）について説明する。説明は以下の順序により行う。
１．第１の実施の形態（表示制御：２階層の階層構造からなる表示画面を表示させる例）
２．第２の実施の形態（表示制御：３階層の階層構造からなる表示画面を表示させる例）
３．第３の実施の形態（表示制御：各種の判断基準を用いる例）
【００２０】
＜１．第１の実施の形態＞
［表示制御装置の外観構成例］
図１は、本技術の第１の実施の形態における表示制御装置１００の外観構成例を示す斜視図である。図１（ａ）には、表示制御装置１００の一の面（すなわち、入出力部１５０が設けられている面）側の外観を示す。また、図１（ｂ）には、表示制御装置１００の他の面（すなわち、レンズ１２１が設けられている面）側の外観を示す。
【００２１】
表示制御装置１００は、第１ボタン１１１乃至第５ボタン１１５と、スピーカ１０１、１０２と、レンズ１２１と、入出力部１５０とを備える。例えば、表示制御装置１００は、各種画像を表示させることが可能な無線通信装置（例えば、通話機能およびデータ通信機能を備える携帯電話装置やスマートフォン）により実現される。なお、表示制御装置１００には他の操作部材を設けることも可能であるが、これらの図示および説明については省略する。
【００２２】
第１ボタン１１１乃至第５ボタン１１５は、表示制御装置１００における各操作を行うための操作部材である。
【００２３】
スピーカ１０１、１０２は、各種の音声情報を出力するスピーカである。例えば、スピーカ１０１は、通話時に使用されるスピーカであり、スピーカ１０２は、コンテンツ再生時等に使用されるスピーカである。
【００２４】
レンズ１２１は、被写体からの光を集光するレンズである。
【００２５】
入出力部１５０は、各種画像を表示するとともに、表示面に近接または接触する物体の検出状態に基づいてユーザからの操作入力を受け付けるものである。なお、入出力部１５０は、タッチスクリーンまたはタッチパネルとも称される。
【００２６】
［表示制御装置の機能構成例］
図２は、本技術の第１の実施の形態における表示制御装置１００の機能構成例を示すブロック図である。
【００２７】
表示制御装置１００は、操作受付部１１０と、撮像部１２０と、記録媒体制御部１３０と、記録媒体１４０と、入出力部１５０と、入力制御部１６０と、制御部１７０と、操作情報保持部１７１と、表示制御部１８０とを備える。なお、表示制御装置１００における無線通信に関する各構成については、その図示および説明を省略する。
【００２８】
操作受付部１１０は、ユーザにより行われた操作を受け付ける操作受付部であり、受け付けられた操作内容に応じた制御信号（操作信号）を制御部１７０に出力する。操作受付部１１０は、図１に示す第１ボタン１１１乃至第５ボタン１１５に対応する。
【００２９】
撮像部１２０は、レンズ（図１（ｂ）に示すレンズ１２１）を介して入射された被写体の光を電気信号に変換する撮像素子と、この撮像素子の出力信号（撮像信号）を処理して撮像画像（画像データ）を生成する画像信号処理部とを備える。すなわち、撮像部１２０において、レンズを介して入射された被写体の光学像が撮像素子の撮像面に結像され、この状態で撮像素子が撮像動作を行い、画像信号処理部が撮像信号に対して信号処理を行うことにより撮像画像が生成される。この撮像画像の生成は、操作受付部１１０または受付部１５１から出力される撮像動作の開始指示情報に基づいて行われる。そして、生成された撮像画像が記録媒体制御部１３０および表示制御部１８０に供給される。
【００３０】
記録媒体制御部１３０は、制御部１７０の制御に基づいて、記録媒体１４０への記録または記録媒体１４０からの読み出しの制御を行うものである。例えば、記録媒体制御部１３０は、撮像部１２０から出力された撮像画像（画像データ）を静止画コンテンツ（静止画ファイル）として記録媒体１４０に記録させる。また、例えば、記録媒体制御部１３０は、撮像部１２０から出力された撮像画像（画像データ）と、音声信号処理部（図示せず）から出力された音声データとを関連付けた動画コンテンツ（動画ファイル）を記録媒体１４０に記録させる。また、例えば、記録媒体制御部１３０は、記録媒体１４０に記憶されている動画コンテンツを読み出し、その動画コンテンツに含まれる画像データを表示制御部１８０に出力する。また、その動画コンテンツに含まれる音声データは、スピーカ１０２（図１（ｂ）に示す）から出力される。
【００３１】
記録媒体１４０は、記録媒体制御部１３０の制御に基づいて各種情報（静止画コンテンツや動画コンテンツ）を記憶するものである。また、記録媒体１４０は、記憶されている各種情報を記録媒体制御部１３０に供給する。
【００３２】
入出力部１５０は、受付部１５１および表示部１５２を備える。例えば、受付部１５１として、導電性を有する物体（例えば、人物の指）の接触または近接を、静電容量の変化に基づいて検出する静電式（静電容量方式）のタッチパネルを用いることができる。また、例えば、表示部１５２として、ＬＣＤ（Liquid Crystal Display）、有機ＥＬ（Electro Luminescence）パネル等の表示パネルを用いることができる。そして、入出力部１５０は、例えば、表示パネルの表示面上に、透明なタッチパネルを重ね合わせることにより構成される。
【００３３】
入出力部１５０は、表示制御部１８０の制御に基づいて各種画像を表示部１５２に表示するとともに、入出力部１５０の表示面（表示部１５２の表示面）に近接または接触する物体の検出状態に基づいてユーザからの操作入力を受付部１５１により受け付ける。また、受付部１５１は、受け付けられた操作入力に応じた制御信号を入力制御部１６０に出力する。
【００３４】
受付部１５１は、入出力部１５０の表示面に近接または接触する物体（例えば、ユーザの指）の検出状態に基づいて、その物体による操作入力を受け付けるものである。例えば、受付部１５１は、格子状に配置されている複数の静電センサを備える。この静電センサは、入出力部１５０の表示面に物体（導電性を有する物体（例えば、ユーザの指や手））が近接または接触すると、静電容量を増加させるセンサである。そして、受付部１５１は、静電センサの静電容量が変化すると、その静電センサの静電容量の値と、その静電センサの受付部１５１の操作面における位置とを含む情報（静電センサ情報）を入力制御部１６０に出力する。なお、以下では、入出力部１５０の表示面に接触する物体の検出例のみを示すが、入出力部１５０の表示面に近接する物体の検出についても同様に適用することができる。
【００３５】
なお、操作受付部１１０および受付部１５１は、第１画面（例えば、図３に示すメニュー画面（俯瞰状態）３００）と、第２画面（例えば、図４に示すメニュー画面（ズーム状態）４００）とを切り替えるための切替操作を受け付ける操作受付部の一例である。ここで、第１画面は、ユーザ操作を受け付けるための複数の領域を含む画面である。なお、複数の領域は、ユーザ操作を受け付けるための操作領域画像（例えば、図４に示す顔検出系設定画像４１０）がグループ単位で表示されている領域である。また、第２画面は、複数の領域の何れかを拡大表示する画面である。また、受付部１５１は、表示部１５２の表示面において第２画面を移動させるための移動操作を受け付け、この移動操作の移動量および経過時間のうちの少なくとも１つを検出する操作受付部の一例である。
【００３６】
表示部１５２は、表示制御部１８０の制御に基づいて各画像を表示する表示パネルである。なお、表示部１５２における表示例については、図３乃至図１０等に示す。
【００３７】
入力制御部１６０は、受付部１５１により受け付けられるユーザによる操作入力（例えば、タッチ操作（タップ操作））に関する制御を行うものである。例えば、入力制御部１６０は、受付部１５１から出力された静電センサ情報に基づいて、入出力部１５０の表示面においてユーザの指が接触した範囲（接触範囲）を検出し、その表示面に対応する座標軸に基づいてその接触範囲を座標に変換する。そして、入力制御部１６０は、変換後の座標に基づいてその接触範囲の形状を算出し、その形状における重心の座標を算出する。また、入力制御部１６０は、その算出された重心の座標をユーザの指が接触した位置（接触位置）の座標として算出する。そして、入力制御部１６０は、算出された接触範囲の形状および接触位置の座標に関する操作情報を制御部１７０に出力する。制御部１７０は、入力制御部１６０から出力される操作情報（接触範囲の形状、接触位置の座標等）に基づいて、入出力部１５０の表示面におけるユーザの操作入力を認識する。
【００３８】
制御部１７０は、操作受付部１１０からの操作信号と、入力制御部１６０からの操作情報（接触範囲の形状、接触位置の座標等）とに基づいて、表示制御装置１００の各部を制御するものである。また、制御部１７０は、入出力部１５０の表示面において検出されたユーザの接触操作の軌跡および時間（接触操作情報）を操作情報保持部１７１に保持させる。
【００３９】
例えば、制御部１７０は、切替操作に基づいて、第１画面（例えば、図３に示すメニュー画面（俯瞰状態）３００）と、第２画面（例えば、図４に示すメニュー画面（ズーム状態）４００）との何れかを表示部１５２に表示させさせるための制御を行う。また、制御部１７０は、移動操作が受け付けられた場合において、その移動操作が所定条件を満たすときには、その移動操作の受付時に表示されていた第２画面に対応する領域とその周囲の領域とを縮小表示させるための制御を行う。なお、これらの表示制御や所定条件については、図３乃至図１０等を参照して詳細に説明する。
【００４０】
操作情報保持部１７１は、入出力部１５０の表示面において検出されたユーザの接触操作の軌跡および時間（接触操作情報）を保持するものであり、保持されている接触操作情報を制御部１７０に供給する。
【００４１】
表示制御部１８０は、制御部１７０の制御に基づいて各画像を表示部１５２に出力させるものである。例えば、表示制御部１８０は、撮像動作を行う際における各種設定を行うための設定画面（例えば、図３に示すメニュー画面３００）や、撮像部１２０から出力された撮像画像（いわゆる、スルー画像）を表示部１５２に表示させる。また、例えば、表示制御部１８０は、記録媒体１４０に記憶されているコンテンツ（例えば、静止画コンテンツまたは動画コンテンツ）を表示部１５２に表示させる。
【００４２】
［メニュー画面（俯瞰状態）の表示例］
図３は、本技術の第１の実施の形態における入出力部１５０に表示される表示画面例（メニュー画面３００）を示す図である。なお、図３乃至図１０等では、第１ボタン１１１乃至第５ボタン１１５、スピーカ１０１等の表示を省略して示す。
【００４３】
メニュー画面３００は、操作対象となる各項目（操作領域画像）がその種類に応じてグループ化された状態で表示される画面である。すなわち、グループ化された各項目が縮小表示された状態（俯瞰状態）で９の領域にグループ単位で分類され、１つの画面（メニュー画面３００）に表示される。なお、各グループには、似たような項目（例えば、同一の機能に係る項目）が属するものとする。なお、９の領域に分類されるメニュー画面３００は一例であり、表示対象となる各項目等に応じて領域の数について適宜変更するようにしてもよい。
【００４４】
具体的には、メニュー画面３００には、撮像モード設定領域３１０と、フラッシュ系設定領域３２０と、ホワイトバランス系設定領域３３０と、再生設定領域３４０と、絞り調整領域３５０とが表示される。また、メニュー画面３００には、顔検出系設定領域３６０と、ガイド表示系設定領域３７０と、撮像画像サイズ系設定領域３８０と、動画系設定領域３９０とが表示される。
【００４５】
撮像モード設定領域３１０は、撮像モード（例えば、静止画撮像モード、動画撮像モード）を設定する際に用いられる各項目が表示される領域である。
【００４６】
フラッシュ系設定領域３２０は、フラッシュに関する各種設定を行う際に用いられる各項目が表示される領域である。
【００４７】
ホワイトバランス系設定領域３３０は、ホワイトバランスに関する各種設定を行う際に用いられる各項目が表示される領域である。
【００４８】
再生設定領域３４０は、再生モードを設定するための各項目と、画像コンテンツを再生する際に用いられる各項目とが表示される領域である。
【００４９】
絞り調整領域３５０は、絞りを調整する際に用いられる各項目が表示される領域である。
【００５０】
顔検出系設定領域３６０は、顔検出に関する各種設定を行う際に用いられる各項目が表示される領域である。
【００５１】
ガイド表示系設定領域３７０は、ガイド機能（ヘルプ機能）に関する各種設定を行う際に用いられる各項目が表示される領域である。
【００５２】
撮像画像サイズ系設定領域３８０は、記録対象となる撮像画像のサイズに関する各種設定を行う際に用いられる各項目が表示される領域である。例えば、記録対象となる撮像画像（静止画）のアスペクト比（例えば、４：３、１６：９）や、記録対象となる撮像画像（静止画）の画サイズ（ＳＴＤ、ＷＩＤＥ）を設定することができる。
【００５３】
動画系設定領域３９０は、動画に関する各種設定を行う際に用いられる各項目が表示される領域である。
【００５４】
なお、メニュー画面３００に表示される各項目や領域等は一例であり、設定されているモードや撮像動作状態等に応じて適宜変更するようにしてもよい。
【００５５】
また、メニュー画面３００における各項目等は、ユーザが操作入力を行う際に用いられる操作領域画像（操作標識）であり、例えば、ユーザによる接触操作（例えば、タッチ操作、なぞる操作（ドラッグ操作））により操作することができる。ただし、メニュー画面３００においては、９の領域のうちの何れかの選択操作のみを行うものとし、各領域内に表示されている各項目については、操作することができないものとする。このため、各領域内に表示されている各項目を操作するためには、その項目が表示されている領域を選択する選択操作（タッチ操作）を行い、その領域を拡大表示した表示画面（ズーム状態）を表示させる必要がある。この表示例を図４に示す。
【００５６】
例えば、メニュー画面３００が入出力部１５０に表示されている状態で、入出力部１５０においてユーザの指１０によるタッチ操作が行われた場合を想定する。この場合には、制御部１７０は、そのタッチ操作がメニュー画面３００を構成する９の領域（３１０、…、３９０）のうちのどの領域で行われたかを判断する。すなわち、制御部１７０は、入力制御部１６０から出力された操作情報に基づいて、入出力部１５０の表示面においてユーザの指が接触した位置（接触位置）が、９の領域（３１０、…、３９０）のうちのどの領域に含まれるかを判断する。そして、制御部１７０は、その接触位置が含まれる領域（３１０、…、３９０）を拡大して入出力部１５０に表示させるための制御を行う。例えば、顔検出系設定領域３６０においてユーザの指１０によるタッチ操作が行われた場合における拡大表示の例を図４に示す。
【００５７】
［メニュー画面（ズーム状態）の表示例］
図４は、本技術の第１の実施の形態における入出力部１５０に表示される表示画面例（メニュー画面４００）を示す図である。
【００５８】
メニュー画面４００は、図３に示すメニュー画面３００において、顔検出系設定領域３６０へのタッチ操作がユーザにより行われた場合に表示される画面であり、顔検出系設定領域３６０を拡大した画面である。すなわち、グループ化された各項目が拡大表示された状態（ズーム状態）で、グループ単位で１つの画面（メニュー画面４００）に表示される。
【００５９】
メニュー画面４００には、顔検出指定バー４１１および顔標識４１２により構成される顔検出系設定画像４１０が表示される。
【００６０】
顔検出指定バー４１１は、撮像モードの設定時において顔検出機能を用いる際におけるその顔検出に関する各種設定内容を選択する際に用いられるバーであり、顔標識４１２が重ねて表示される。例えば、顔検出指定バー４１１においてユーザが所望する位置に顔標識４１２を移動させることにより、各種設定内容を指定することができる。
【００６１】
図３および図４に示すように、表示制御装置１００には、操作対象となる各項目が縮小表示された縮小表示状態（俯瞰状態）のメニュー画面と、操作対象となる各項目が拡大表示された拡大表示状態（ズーム状態）のメニュー画面とが表示される。また、これらのメニュー画面の表示は、ユーザ操作（例えば、入出力部１５０の表示面の接触操作、第１ボタン１１１乃至第３ボタン１１３の押下操作）により切り替えられる。
【００６２】
［メニュー画面（ズーム状態）の表示遷移例］
図５は、本技術の第１の実施の形態における入出力部１５０に表示される表示画面の遷移例を示す図である。図５では、入出力部１５０の表示状態を、図４に示すメニュー画面４００から他の領域（顔検出系設定領域３６０以外の領域）に変更する場合における表示遷移例を示す。また、この例では、入出力部１５０の表示面における接触操作により、表示画面を変更する例を示す。
【００６３】
図５（ａ）に示すメニュー画面４００は、図４と同様である。図５（ｂ）には、入出力部１５０の表示面における接触操作により、メニュー画面４００を他のメニュー画面に変更する際におけるその操作状態を示す。
【００６４】
例えば、図４に示すメニュー画面４００が表示されている状態で、ユーザ操作により顔検出に関する各種設定内容が選択された後に、ユーザが他の領域（例えば、フラッシュ系設定領域３２０）に表示される項目を表示させる場合を想定する。この場合には、図５（ａ）および（ｂ）に示すように、メニュー画面４００にユーザの指１０を接触させた状態で、フラッシュ系設定領域３２０とは反対方向にその指１０を移動させる。
【００６５】
ここで、例えば、図５に示すように、ユーザの接触操作によりズーム状態のメニュー画面を所望の領域に移動させる場合には、図３に示すメニュー画面３００の内容（例えば、各領域の配置）をユーザが把握しておく必要がある。すなわち、ズーム状態のメニュー画面４００では、拡大表示されている領域以外の他の領域が表示されない。このため、移動先の領域の位置（９の領域における位置）をユーザが把握しておき、その位置とは反対方向（矢印５００の方向）に接触操作（例えば、なぞる操作）を行う必要がある。
【００６６】
しかしながら、図３に示すメニュー画面３００の内容（例えば、各領域の配置）をユーザが把握していないことも想定される。このような場合には、ユーザの接触操作によりズーム状態のメニュー画面を所望の領域に移動させようとしても、移動先のその領域の位置をユーザが把握していないため、その領域を探しながら接触操作を行うことになる。このため、仮想空間内において、適切なスムーズな移動を行うことできないおそれがある。
【００６７】
そこで、本技術の第１の実施の形態では、ズーム状態のメニュー画面の表示状態において、接触操作でユーザが迷っている場合には、俯瞰状態のメニュー画面等を表示して、メニュー画面の内容をユーザが迅速に把握することができる例を示す。
【００６８】
［接触操作に基づく表示遷移例］
図６乃至図９は、本技術の第１の実施の形態における入出力部１５０に表示される表示画面の遷移例を示す図である。
【００６９】
ここで、本技術の第１の実施の形態では、ユーザによる接触操作として、なぞる操作（ドラッグ操作）が行われた場合に、そのなぞる操作に応じて表示画面を移動させる例を示す。
【００７０】
また、入出力部１５０の表示面において、ユーザによる接触操作が開始された時点（操作開始時）からその接触操作が終了した時点（操作終了時）までの時間を経過時間ΔＴとする。また、ユーザによる接触操作が開始された位置（操作開始位置）からその接触操作が終了した位置（操作終了位置）までの移動量を移動量Δｄとする。なお、移動量Δｄは、例えば、操作開始位置から操作終了位置までの軌跡（例えば、単位時間当たりの軌跡）とする。
【００７１】
ここで、入出力部１５０の表示面において、ユーザによる接触操作が行われた場合には、制御部１７０は、入力制御部１６０からの操作情報に基づいて、その接触操作に係る経過時間ΔＴおよび移動量Δｄを算出する。そして、制御部１７０は、その算出された経過時間ΔＴおよび移動量Δｄを操作情報保持部１７１に順次保持させる。
【００７２】
そして、制御部１７０は、ユーザによる接触操作が終了した時点（操作終了時）で、操作情報保持部１７１に保持された経過時間ΔＴおよび移動量Δｄと、閾値とを比較して、その接触操作に応じた表示画面を表示させるための制御を行う。具体的には、閾値として、閾値α、β、γを用いて、次の第１条件乃至第４条件を満たすか否かが判断される。そして、その判断結果に基づいて、その接触操作に応じた表示画面が表示される。
第１条件        ΔＴ×Δｄ＜α
第２条件    α≦ΔＴ×Δｄ＜β
第３条件    β≦ΔＴ×Δｄ＜γ
第４条件    γ≦ΔＴ×Δｄ
【００７３】
ここで、第１条件を満たす場合は、経過時間ΔＴおよび移動量Δｄの何れもが小さい値となる場合である。このため、第１条件を満たす場合は、例えば、隣接する領域のメニュー画面（ズーム状態）に変更しようとしたものの、何らかの理由で、その変更を止めたような状況が考えられる。なお、何らかの理由として、例えば、接触操作開始時のメニュー画面（ズーム状態）での設定をもう一度確認するという理由が考えられる。このため、第１条件を満たす場合には、接触操作開始時のメニュー画面（ズーム状態）を表示させる。すなわち、第１条件を満たす場合には、操作前の表示状態が維持される。この表示例については、図６に示す。
【００７４】
図６には、ユーザによる接触操作があった際における表示遷移例を示す。図６（ａ）には、ユーザによる接触操作開始時の表示画面の一例を示し、図６（ｂ）には、ユーザによる接触操作終了時の表示画面の一例を示す。すなわち、図６では、例えば、矢印５０１に示すように、移動量Δｄは比較的小さく、経過時間ΔＴも比較的小さい値となる場合（第１条件を満たす場合）の表示遷移例を示す。
【００７５】
図６（ｃ）には、図６（ｂ）に示すユーザによる接触操作終了後に表示される表示画面の一例を示す。上述したように、第１条件を満たす場合には、その接触操作開始時のメニュー画面（ズーム状態）が入出力部１５０に表示される。
【００７６】
また、第２条件を満たす場合は、経過時間ΔＴ×移動量Δｄが一定の値（例えば、隣接する領域のメニュー画面（ズーム状態）に変更する程度の操作量）となる場合である。例えば、隣接する領域をユーザが知っている場合には、その操作が速く行われ、移動量も一定の値となるものと想定される。このため、第２条件を満たす場合は、例えば、隣接する領域をユーザが知っていて、隣接する領域のメニュー画面（ズーム状態）に変更する意思がユーザに存在すると考えられる。そこで、第２条件を満たす場合には、隣接する領域のメニュー画面（ズーム状態）が表示させる。すなわち、第２条件を満たす場合には、操作前の表示状態とは異なる表示画面（隣接する領域のメニュー画面（ズーム状態））が表示される。この表示例については、図７に示す。
【００７７】
図７には、ユーザによる接触操作があった際における表示遷移例を示す。図７（ａ）には、ユーザによる接触操作開始時の表示画面の一例を示し、図７（ｂ）には、ユーザによる接触操作終了時の表示画面の一例を示す。すなわち、図７では、例えば、矢印５０２に示すように、移動量Δｄは一定の値となり、経過時間ΔＴは比較的小さい値となる場合（第２条件を満たす場合）の表示遷移例を示す。
【００７８】
図７（ｃ）には、図７（ｂ）に示すユーザによる接触操作終了後に表示される表示画面の一例を示す。上述したように、第２条件を満たす場合には、隣接する領域のメニュー画面（ズーム状態）４２０が入出力部１５０に表示される。このように、ユーザが全体を把握することができている場合には、所望するズーム状態のメニュー画面に容易に素早く遷移することができる。
【００７９】
また、第３条件を満たす場合は、経過時間ΔＴ×移動量Δｄが一定の値（例えば、第２条件に示す一定の値）よりも大きい値となる場合である。このため、第３条件を満たす場合は、例えば、他のメニュー画面（ズーム状態）に変更する意思がユーザに存在し、各領域の位置をある程度知っていて、所望するメニュー画面（ズーム状態）を見つけているような状況が考えられる。このように、第３条件を満たす場合には、各領域の位置をある程度知っていると想定されるため、接触操作開始時のメニュー画面（ズーム状態）の周辺の領域を表示させる。すなわち、第３条件を満たす場合には、操作前の表示状態とは異なる表示画面（接触操作開始時のメニュー画面（ズーム状態）４００を含む表示画面（中間状態））が表示される。この表示例については、図８に示す。
【００８０】
図８（ａ）には、ユーザによる接触操作の一例を示す。例えば、矢印５０３に示すように、図８（ａ）では、移動量Δｄは一定の値よりも大きい値となり、経過時間ΔＴも比較的大きい値となる場合（第３条件を満たす場合）を想定する。
【００８１】
図８（ｂ）には、図８（ａ）に示すユーザによる接触操作終了後に表示される表示画面の一例を示す。上述したように、第３条件を満たす場合には、接触操作開始時のメニュー画面（ズーム状態）４２０を含む表示画面（中間状態）が、ズームアウトしていくように入出力部１５０に表示される。また、中間状態のメニュー画面が表示された場合には、その中間状態のメニュー画面の表示から所定時間が経過した後に、接触操作開始時のメニュー画面（ズーム状態）４２０が表示される。このように、ズーム状態と俯瞰状態の間を埋める中間状態をユーザに提供することにより、現在表示位置とその周辺のメニュー項目との関係性を容易に把握させることができる。なお、中間状態の表示遷移例を、図１０に示す。
【００８２】
また、第４条件を満たす場合は、経過時間ΔＴ×移動量Δｄが比較的大きい値（例えば、第３条件に示す値よりも大きい値）となる場合である。このため、第４条件を満たす場合は、例えば、他のメニュー画面（ズーム状態）に変更する意思がユーザに存在するものの、所望するメニュー画面（ズーム状態）を見つけるために迷っているような状況が考えられる。また、ユーザに迷いがあるため、操作が遅くなることも想定される。このため、第４条件を満たす場合には、メニュー画面（俯瞰状態）を表示させる。すなわち、第４条件を満たす場合には、操作前の表示状態とは異なる表示画面（メニュー画面（俯瞰状態））が表示される。この表示例については、図９に示す。
【００８３】
図９（ａ）には、ユーザによる接触操作の一例を示す。例えば、矢印５０４に示すように、図９（ａ）では、移動量Δｄは一定の値よりも比較的大きい値となり、経過時間ΔＴも比較的大きい値となる場合（第４条件を満たす場合）を想定する。
【００８４】
図９（ｂ）には、図９（ａ）に示すユーザによる接触操作終了後に表示される表示画面の一例を示す。上述したように、第４条件を満たす場合には、メニュー画面（俯瞰状態）４００が、ズームアウトしていくように入出力部１５０に表示される。このように、ユーザが、メニュー画面（俯瞰状態）４００に戻るための操作（上位階層に戻るための操作）を行わなくても、仮想空間のスムーズな視点移動で全体を把握することができる状態に遷移することができる。
【００８５】
なお、図６乃至図９に示す表示遷移（接触操作終了後からの表示遷移）を行う場合には、例えば、元の表示画面から線形でアニメーションにより表示するようにしてもよい。すなわち、制御部１７０は、各画面の遷移をアニメーションにより表示させるための制御を行う。
【００８６】
また、閾値α乃至γについては、予め設定されている値を用いることができる。また、例えば、統計的手法を用いて移動量および経過時間とユーザ操作との関係を学習することにより、ユーザに適した閾値α乃至γを設定するようにしてもよい。また、ユーザの好みに応じた閾値α乃至γをユーザ操作により設定可能とするようにしてもよい。
【００８７】
このように、ユーザによる切替操作に基づいて、第１画面（例えば、図３に示すメニュー画面（俯瞰状態）３００）と、第２画面（例えば、図４に示すメニュー画面（ズーム状態）４００）との何れかが表示部１５２に表示される。また、制御部１７０は、移動操作が受け付けられた場合において、その移動操作が所定条件（例えば、第３条件、第４条件）を満たすときには、その移動操作の受付時に表示されていた第２画面に対応する領域とその周囲の領域とを縮小表示させるための制御を行う。この場合に、例えば、制御部１７０は、ユーザによる接触操作の表示面における移動量および経過時間のうちの少なくとも１つが所定条件を満たすときには、第２画面に対応する領域とその周囲の領域とを縮小表示させるための制御を行う。例えば、制御部１７０は、移動量および経過時間のうちの少なくとも１つにより特定される値が閾値を基準として大きい場合に所定条件を満たすと判断する。なお、移動量および経過時間のうちの１つを用いる例については、本技術の第２の実施の形態で示す。また、制御部１７０は、移動操作が所定条件（例えば、第３条件）を満たすときには、縮小表示を行ってから所定時間経過後に、第２画面を表示させるための制御を行う。また、制御部１７０は、移動操作が所定条件（例えば、第４条件）を満たすときには、第１画面を表示させるための制御を行う。
【００８８】
［中間状態の表示遷移例］
図１０は、本技術の第１の実施の形態における入出力部１５０に表示される表示画面の遷移例を示す図である。
【００８９】
図１０（ａ）乃至（ｃ）には、中間状態のメニュー画面の表示遷移例を示す。また、図１０（ｄ）には、拡大縮小に関する縮尺に対応する目盛りを示す。この目盛りにおいて、１／１は、俯瞰状態のメニュー画像に対応する数値を示し、１／９は、ズーム状態のメニュー画像に対応する数値を示す。また、図１０（ａ）乃至（ｃ）に示す矢印５１１方向の表示遷移は、図１０（ｄ）に示す矢印５１３方向のズーム倍率の遷移に対応する。図１０（ａ）乃至（ｃ）に示す矢印５１２方向の表示遷移は、図１０（ｄ）に示す矢印５１４方向のズーム倍率の遷移に対応する。
【００９０】
例えば、図８（ｂ）に示すように、第３条件を満たす場合には、接触操作開始時のメニュー画面（ズーム状態）４２０を含む表示画面（中間状態）が入出力部１５０に表示される。この場合に、制御部１７０は、比較対象となる値（第３条件を満たす値（経過時間ΔＴ×移動量Δｄ））の大きさに基づいて、中間状態のメニュー画面のズーム倍率を決定することができる。
【００９１】
例えば、比較対象となる値が比較的小さい場合には、中間状態のメニュー画面のズーム倍率を小さくすることができる（例えば、図１０（ｄ）に示す目盛りにおける１／６〜１／８程度）。一方、比較対象となる値が比較的大きい場合には、中間状態のメニュー画面のズーム倍率を大きくすることができる（例えば、図１０（ｄ）に示す目盛りにおける１／２〜１／４程度）。また、比較対象となる値がそれらの中間程度の場合には、中間状態のメニュー画面のズーム倍率を中間程度とすることができる（例えば、図１０（ｄ）に示す目盛りにおける１／４〜１／６程度）。
【００９２】
このように、制御部１７０は、ユーザによる接触操作の表示面における移動量および経過時間のうちの少なくとも１つにより特定される値の大きさに基づいて、縮小表示の際における縮小率（ズーム倍率）を決定する。
【００９３】
また、このようにズーム倍率が決定された中間状態のメニュー画面を表示する場合には、元のズーム状態のメニュー画面からその中間状態のメニュー画面までの表示遷移をアニメーションにより表示するようにしてもよい。同様に、その中間状態のメニュー画面から元のズーム状態のメニュー画面に戻るまでの表示遷移をアニメーションにより表示するようにしてもよい。
【００９４】
また、このようにズーム倍率が決定された中間状態のメニュー画面を表示する場合には、元のズーム状態のメニュー画面における接触位置を基準として、中間状態のメニュー画面を表示するようにしてもよい。すなわち、ズーム状態のメニュー画面における接触位置が、入出力部１５０の表示面における同一位置となるように、中間状態のメニュー画面を表示するようにしてもよい。
【００９５】
［表示制御装置の動作例］
図１１および図１２は、本技術の第１の実施の形態における表示制御装置１００による表示制御処理の処理手順の一例を示すフローチャートである。
【００９６】
最初に、制御部１７０は、メニュー画面の表示指示操作が行われたか否かを判断し（ステップＳ９０１）、メニュー画面の表示指示操作が行われていない場合には、監視を継続して行う。メニュー画面の表示指示操作が行われた場合には（ステップＳ９０１）、表示制御部１８０は、制御部１７０の指示に基づいて、俯瞰状態のメニュー画面を表示部１５２に表示させる（ステップＳ９０２）。例えば、図３に示すメニュー画面３００が表示される。
【００９７】
続いて、制御部１７０は、入出力部１５０の表示面における接触操作が行われたか否かを判断する（ステップＳ９０３）。そして、表示面における接触操作が行われた場合には（ステップＳ９０３）、表示制御部１８０は、制御部１７０の指示に基づいて、その接触操作の位置に対応するエリアを拡大表示させる（ステップＳ９０４）。すなわち、ズーム状態のメニュー画面が表示部１５２に表示される（ステップＳ９０４）。例えば、図３に示すメニュー画面３００において顔検出系設定領域３６０への接触操作が行われた場合には、図４に示すメニュー画面４００が表示される。
【００９８】
続いて、制御部１７０は、入出力部１５０の表示面における接触操作が行われたか否かを判断する（ステップＳ９０５）。そして、表示面における接触操作が行われた場合には（ステップＳ９０５）、表示制御部１８０は、制御部１７０の指示に基づいて、その接触操作に応じて表示状態を変更させる（ステップＳ９０６）。例えば、図５（ａ）および（ｂ）に示すように、メニュー画面４００の表示状態が変更される。
【００９９】
続いて、制御部１７０は、その接触操作が第１条件を満たすか否かを判断する（ステップＳ９０７）。そして、その接触操作が第１条件を満たす場合には（ステップＳ９０７）、表示制御部１８０は、制御部１７０の指示に基づいて、その接触操作前の表示状態に戻す（ステップＳ９０８）。
【０１００】
また、その接触操作が第１条件を満たさない場合には（ステップＳ９０７）、制御部１７０は、その接触操作が第２条件を満たすか否かを判断する（ステップＳ９０９）。そして、その接触操作が第２条件を満たす場合には（ステップＳ９０９）、表示制御部１８０は、制御部１７０の指示に基づいて、その接触操作に応じて他のエリアを拡大表示させる（ステップＳ９１０）。例えば、図７に示すように、隣接する領域のメニュー画面（ズーム状態）が表示される。
【０１０１】
また、その接触操作が第２条件を満たさない場合には（ステップＳ９０９）、制御部１７０は、その接触操作が第３条件を満たすか否かを判断する（ステップＳ９１１）。そして、その接触操作が第３条件を満たす場合には（ステップＳ９１１）、制御部１７０は、その接触操作に応じたズーム倍率を算出する（ステップＳ９１２）。続いて、表示制御部１８０は、制御部１７０の指示に基づいて、その算出されたズーム倍率で接触操作開始時の領域を拡大表示させる（ステップＳ９１３）。例えば、図８（ｂ）に示すように、接触操作開始時のメニュー画面（ズーム状態）の周辺の領域が表示される。すなわち、接触操作開始時のメニュー画面（ズーム状態）を含む中間状態のメニュー画面が表示される。
【０１０２】
続いて、表示制御部１８０は、制御部１７０の指示に基づいて、その接触操作前の表示状態に戻す（ステップＳ９１４）。例えば、一定時間経過後に、その接触操作前の表示状態に戻す（ステップＳ９１４）。一方、その接触操作が第３条件を満たさない場合には（ステップＳ９１１）、ステップＳ９０２に進む。
【０１０３】
すなわち、その接触操作が第１乃至第３条件の何れも満たさない場合は（ステップＳ９０７、Ｓ９０９、Ｓ９１１）、第４条件を満たす場合となる。このため、表示制御部１８０は、制御部１７０の指示に基づいて、俯瞰状態のメニュー画面を表示部１５２に表示させる（ステップＳ９０２）。
【０１０４】
また、表示面における接触操作が行われていない場合には（ステップＳ９０３、Ｓ９０５）、制御部１７０は、他の操作部材による操作が行われたか否かを判断し（ステップＳ９１５）、他の操作部材による操作が行われていない場合には、ステップＳ９１８に進む。一方、他の操作部材による操作が行われた場合には（ステップＳ９１５）、制御部１７０は、その操作がメニュー画面の表示終了操作であるか否かを判断する（ステップＳ９１６）。そして、その操作がメニュー画面の表示終了操作である場合には（ステップＳ９１６）、表示制御処理の動作を終了する。
【０１０５】
また、その操作がメニュー画面の表示終了操作でない場合には（ステップＳ９１６）、制御部１７０は、その操作に応じた処理を行う（ステップＳ９１７）。続いて、ズーム状態のメニュー画面が表示されているか否かが判断され（ステップＳ９１８）、ズーム状態のメニュー画面が表示されている場合には、ステップＳ９０５に戻る。一方、ズーム状態のメニュー画面が表示されていない場合には（ステップＳ９１８）、ステップＳ９０３に戻る。
【０１０６】
なお、ステップＳ９０３、Ｓ９０４、Ｓ９１５乃至Ｓ９１７は、特許請求の範囲に記載の第１制御手順の一例である。また、ステップＳ９０２、Ｓ９１１乃至Ｓ９１４は、特許請求の範囲に記載の第２制御手順の一例である。
【０１０７】
＜２．第２の実施の形態＞
本技術の第１の実施の形態では、２階層の階層構造からなる表示画面（俯瞰状態のメニュー画面、ズーム状態のメニュー画面）の遷移例を示した。ここで、３階層以上の階層構造からなる表示画面についても、本技術の第１の実施の形態を適用することができる。
【０１０８】
そこで、本技術の第２の実施の形態では、３階層の階層構造からなる表示画面の遷移例を示す。なお、本技術の第２の実施の形態における表示制御装置の構成については、図１、図２等に示す例と略同様である。このため、本技術の第１の実施の形態と共通する部分については、その説明の一部を省略する。
【０１０９】
［表示画面の遷移例］
図１３は、本技術の第２の実施の形態における入出力部１５０に表示される表示画面の遷移例を示す図である。図１３では、３階層の階層構造からなる表示画面の遷移例を示す。
【０１１０】
図１３（ａ）には、最上位階層のメニュー画面の表示例を示す。なお、図１３（ａ）に示すメニュー画面の太線により分類される各領域は、本技術の第１の実施の形態における９の領域（３１０、…、３９０）に対応する。
【０１１１】
図１３（ｂ）には、図１３（ａ）に示すメニュー画面の下位階層のメニュー画面の表示例を示す。なお、図１３（ｂ）に示すメニュー画面は、図１３（ａ）に示すメニュー画面において、Ｆ領域（領域Ｆ１乃至Ｆ４の何れかの領域）への接触操作が行われた場合に表示されるメニュー画面である。すなわち、図１３（ａ）に示すメニュー画面において、領域Ｆ１乃至Ｆ４の何れかに接触操作が行われた場合には、図１３（ｂ）に示すメニュー画面が表示される。なお、図１３（ｂ）に示すメニュー画面において接触操作が行われた場合における表示遷移については、本技術の第１の実施の形態と略同様である。
【０１１２】
図１３（ｃ）には、図１３（ｂ）に示すメニュー画面の下位階層（最下位階層）のメニュー画面の表示例を示す。なお、図１３（ｃ）に示すメニュー画面は、図１３（ｂ）に示すメニュー画面において、領域Ｆ３への接触操作が行われた場合に表示されるメニュー画面である。ここで、図１３（ｃ）に示すメニュー画面において接触操作が行われた場合における表示遷移については、本技術の第１の実施の形態を適用することができる。すなわち、本技術の第１の実施の形態に示す第１乃至第４条件を満たすか否かに応じて、各条件に応じた表示遷移が行われる。ただし、図１３（ｃ）に示すメニュー画面における接触操作が第４条件を満たす場合には、俯瞰状態のメニュー画面として、図１３（ｂ）に示すメニュー画面が表示される。また、その接触操作が第３条件を満たす場合には、中間状態のメニュー画面として、図１３（ｂ）に示すメニュー画面と、図１３（ｃ）に示すメニュー画面との間のズーム倍率（１／９〜１／３６）となるメニュー画面が表示される。
【０１１３】
例えば、図１３（ｂ）に示す２階層目で迷う人もいれば、図１３（ｃ）に示す３階層目で迷う人もいることが想定される。このため、２階層目および３階層目の何れにおいても、ユーザが迷った場合には、俯瞰状態のメニュー画面や中間状態のメニュー画面を表示する。
【０１１４】
なお、図１３では、図１３（ｃ）に示す３階層目で第４条件を満たす場合には、図１３（ｂ）に示す２階層目のメニュー画面を表示する例を示した。ただし、例えば、図１３（ｃ）に示す３階層目で、多いに迷っているような場合には、図１３（ａ）に示す１階層目のメニュー画面を直接表示するようにしてもよい。
【０１１５】
なお、図１３では、最上位層のメニュー画面の各領域を、４の領域（例えば、Ｆ領域内の領域Ｆ１乃至Ｆ４）に分類する例を示したが、４以外の領域に分類するようにしてもよい。
【０１１６】
また、図１３では、３階層の階層構造からなる表示画面の遷移例を示したが、４階層以上の階層構造からなる表示画面についても適用することができる。
【０１１７】
＜３．第３の実施の形態＞
本技術の第１の実施の形態では、経過時間ΔＴおよび移動量Δｄと、閾値との比較結果に基づいて、第１乃至第４条件を満たすか否かを判断する例を示した。ただし、他の値（例えば、経過時間ΔＴまたは移動量Δｄ）と、閾値との比較結果に基づいて、第１乃至第４条件を満たすか否かを判断するようにしてもよい。また、他の判断基準を用いるようにしてもよい。
【０１１８】
そこで、本技術の第３の実施の形態では、他の判断基準を用いる例を示す。なお、本技術の第２の実施の形態における表示制御装置の構成については、図１、図２等に示す例と略同様である。このため、本技術の第１の実施の形態と共通する部分については、その説明の一部を省略する。
【０１１９】
［比較対象として移動量のみを用いる例］
この場合には、閾値α＝５０％程度（表示画面の半分）とし、閾値γ＝８０〜３００％程度とし、閾値β＝α、γの間とすることができる。また、例えば、統計的手法を用いて移動量とユーザ操作との関係を学習することにより、ユーザに適した閾値α乃至γを設定することができる。また、ユーザの好みに応じた閾値α乃至γをユーザ操作により設定可能とするようにしてもよい。なお、移動量Δｄとして、ユーザによる接触操作の開始時から終了時までの移動量、または、単位時間当たりの移動量を用いることができる。
【０１２０】
［比較対象として経過時間のみを用いる例］
この場合には、予め設定されている閾値α乃至γを用いることができる。また、例えば、統計的手法を用いて経過時間とユーザ操作との関係を学習することにより、ユーザに適した閾値α乃至γを設定することができる。また、ユーザの好みに応じた閾値α乃至γをユーザ操作により設定可能とするようにしてもよい。
【０１２１】
［他の判断基準を用いる例］
上述したように、経過時間ΔＴ、移動量Δｄ以外の他の判断基準を用いるようにしてもよい。例えば、接触操作の開始時からの軌跡が略直線状だった場合において、その後の接触操作の軌跡が直線でなくなったときには、ユーザに迷いが出たと判断することができる。この場合には、ズーム状態のメニュー画像から俯瞰状態のメニュー画像に表示状態を変更することができる。
【０１２２】
例えば、表示画面における特定方向（例えば、左右方向）をＸ軸とし、特定方向に直交する方向（例えば、上下方向）をＹ軸とする場合を想定する。この場合において、接触操作の開始時からの軌跡がＸ軸およびＹ軸において一定量増加した後に、その軌跡がＸ軸においてなくなるか減少し、Ｙ軸における増加のみとなるような状態が発生した場合に、ユーザに迷いが出たと判断することができる。
【０１２３】
また、なぞる操作（例えば、ドラッグ操作）以外に、例えば、タッチ操作とその経過時間、フリック操作とその経過時間、タッチ操作の数、表示画面の隅をタッチした時間等を判断基準に用いるようにしてもよい。例えば、これらの各値と閾値α乃至γとの比較結果に基づいて、第１乃至第４条件を満たすか否かを判断することができる。
【０１２４】
［接触操作中に判断を行う例］
本技術の第１乃至第３の実施の形態では、接触操作が終了した後に、第１乃至第４条件を満たすか否かの判断を行う例を示した。ただし、接触操作が継続して行われている間に、第１乃至第４条件を満たすか否かの判断を順次行い、この判断結果に基づいて、その接触操作中に表示状態を順次変更するようにしてもよい。
【０１２５】
このように、本技術の実施の形態では、ユーザ操作に応じて、ズーム倍率や表示位置を変更し、拡大縮小表示された仮想空間における視点位置を動的に切り替える。すなわち、仮想空間内に配置されたデータを拡大表示中（ズーム状態）において、ユーザの特定の振る舞いを検出し、ユーザ操作の種類に応じた状態（全体またはその一部を把握することができる状態（俯瞰状態））を一時的に提供することができる。言い換えると、ユーザが迷っていると想定される場合には、その迷いに応じてズーム倍率や表示位置を動的に切り替え、操作前の表示画面の周辺を表示させる。これにより、仮想空間内におけるスムーズな移動を容易に行うことができ、ユーザの操作状況に応じた適切なメニュー画面を提供することができる。
【０１２６】
また、ユーザは即時性を落とすことなく、意図したオブジェクトへの項目選択を容易に行うことができ、かつ、全体のメニュー画面（俯瞰状態）と現在表示位置（ズーム状態）との関係性を容易に把握することができる。このように、ユーザが所望する状態に遷移するための補助を容易に行うことができる。また、膨大な数のオブジェクトを表示する場合であっても、複数の階層構造の表示画面を用いることにより、俯瞰状態とズーム状態との関係性を容易に把握することができる。
【０１２７】
なお、本技術の実施の形態では、静電式（静電容量方式）のタッチパネルを用いる例を示したが、感圧式（抵抗膜圧式）や光式等のタッチパネルを用いるようにしてもよい。
【０１２８】
また、本技術の実施の形態では、無線通信装置等の表示制御装置を例にして説明した。ただし、仮想空間を視点位置の切り替えや拡大縮小表示することが可能な他の表示制御装置（電子機器）に本技術の実施の形態を適用することができる。例えば、デジタルスチルカメラ、デジタルビデオカメラ（例えば、カメラ一体型レコーダ）、デジタルフォトフレーム、スマートフォン、タブレット、デジタルサイネージ端末、自動販売機、カーナビゲーション等の機器に適用することができる。
【０１２９】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１３０】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１３１】
なお、本技術は以下のような構成もとることができる。
（１）  ユーザ操作を受け付けるための複数の領域を含む第１画面と前記複数の領域の何れかを拡大表示する第２画面との何れかを表示させるための制御を行う制御部と、
表示面に表示されている前記第２画面を移動させるための移動操作を受け付ける操作受付部とを具備し、
前記制御部は、前記移動操作が受け付けられた場合において当該移動操作が所定条件を満たすときには、表示されていた前記第２画面に対応する領域とその周囲の領域とを縮小表示させるための制御を行う
表示制御装置。
（２）  前記操作受付部は、前記移動操作の移動量および経過時間のうちの少なくとも１つを検出し、
前記制御部は、前記移動操作の移動量および経過時間のうちの少なくとも１つが前記所定条件を満たすときには、前記第２画面に対応する領域とその周囲の領域とを縮小表示させるための制御を行う
前記（１）に記載の表示制御装置。
（３）  前記制御部は、前記移動量および前記経過時間のうちの少なくとも１つにより特定される値が閾値を基準として大きい場合に前記所定条件を満たすと判断する前記（２）に記載の表示制御装置。
（４）  前記制御部は、前記移動量および前記経過時間のうちの少なくとも１つにより特定される値の大きさに基づいて、前記縮小表示の際における縮小率を決定する前記（２）または（３）に記載の表示制御装置。
（５）  前記制御部は、前記移動操作が前記所定条件を満たすときには、前記縮小表示をさせてから所定時間経過後に前記第２画面を表示させるための制御を行う前記（１）から（４）のいずれかに記載の表示制御装置。
（６）  前記制御部は、前記第２画面から前記縮小表示への遷移をアニメーションにより表示させるための制御を行う前記（１）から（５）のいずれかに記載の表示制御装置。
（７）  前記制御部は、前記移動操作が前記所定条件を満たすときには、前記第１画面を表示させるための制御を行う前記（１）に記載の表示制御装置。
（８）  前記複数の領域は、前記ユーザ操作を受け付けるための操作領域画像がグループ単位で表示されている領域であり、
前記操作受付部は、前記第２画面が前記表示面に表示されている場合にのみ前記操作領域画像における前記ユーザ操作を受け付ける
前記（１）から（７）のいずれかに記載の表示制御装置。
（９）  前記操作受付部は、前記移動操作として、前記表示面における接触操作を受け付ける前記（１）から（８）のいずれかに記載の表示制御装置。
（１０）  ユーザ操作を受け付けるための複数の領域を含む第１画面と前記複数の領域の何れかを拡大表示する第２画面との何れかを表示させる第１制御手順と、
表示面に表示されている前記第２画面を移動させるための移動操作が受け付けられた場合において当該移動操作が所定条件を満たすときには表示されていた前記第２画面に対応する領域とその周囲の領域とを縮小表示させる第２制御手順と
を具備する表示制御方法。
（１１）  ユーザ操作を受け付けるための複数の領域を含む第１画面と前記複数の領域の何れかを拡大表示する第２画面との何れかを表示させる第１制御手順と、
表示面に表示されている前記第２画面を移動させるための移動操作が受け付けられた場合において当該移動操作が所定条件を満たすときには表示されていた前記第２画面に対応する領域とその周囲の領域とを縮小表示させる第２制御手順と
をコンピュータに実行させるプログラム。
【符号の説明】
【０１３２】
１００  表示制御装置
１０１、１０２  スピーカ
１１０  操作受付部
１１１  第１ボタン
１１２  第２ボタン
１１３  第３ボタン
１１４  第４ボタン
１１５  第５ボタン
１２０  撮像部
１２１  レンズ
１３０  記録媒体制御部
１４０  記録媒体
１５０  入出力部
１５１  受付部
１５２  表示部
１６０  入力制御部
１７０  制御部
１７１  操作情報保持部
１８０  表示制御部
【図１】
2013191113.tif 000003
【図２】
2013191113.tif 000004
【図３】
2013191113.tif 000005
【図４】
2013191113.tif 000006
【図５】
2013191113.tif 000007
【図６】
2013191113.tif 000008
【図７】
2013191113.tif 000009
【図８】
2013191113.tif 000010
【図９】
2013191113.tif 000011
【図１０】
2013191113.tif 000012
【図１１】
2013191113.tif 000013
【図１２】
2013191113.tif 000014
【図１３】
2013191113.tif 000015